(57)【特許請求の範囲】
【請求項１】
入力された第１の信号もしくは第２の信号のうち、模擬反射信号を生成および混合する信号を選択する信号選択手段と、該第１の信号もしくは該第２の信号から模擬反射信号を生成する音場補正手段と、該第１の信号に該模擬反射信号を混合する第１の混合手段と、該第２の信号に該模擬反射信号を混合する第２の混合手段とを備え、
選択した該第１の信号もしくは該第２の信号のうちいずれか一方から模擬反射信号を生成し、該模擬反射信号と該模擬反射信号を生成した第１の信号もしくは第２の信号とを混合する、音場処理装置。
【請求項２】
前記音場補正手段が、前記第１の信号もしくは前記第２の信号より再生された音が反射する反射面に基づく周波数特性を有するフィルタ手段と、該反射面に基づく遅延を有する遅延手段と、該反射面に基づいて音圧減衰させる係数乗算手段とを有する、請求項１に記載の音場処理装置。
【請求項３】
前記信号選択手段が、前記第１の信号を乗算する第１の乗算器と、前記第２の信号を乗算する第２の乗算器と、前記模擬反射信号を乗算し前記第１の混合手段に出力する第３の乗算器と、前記模擬反射信号を乗算し前記第２の混合手段に出力する第４の乗算器と、該第１の乗算器および該第２の乗算器の出力を加算する加算器とを有する、請求項１または２に記載の音場処理装置。
【請求項４】
前記第１の信号を乗算し前記第１の混合手段に出力する第５の乗算器、および前記第２の信号を乗算し前記第２の混合手段に出力する第６の乗算器をさらに備える、請求項１〜３のいずれかに記載の音場処理装置。
【請求項５】
選択した第１の信号もしくは第２の信号のうちいずれか一方から模擬反射信号を生成する工程と、
該模擬反射信号と該模擬反射信号を生成した第１の信号もしくは第２の信号とを混合する工程とを含む、音場処理方法。
【請求項６】
前記第１の信号より再生された音が反射面に反射する場合、前記第２の信号から前記模擬反射信号を該反射面に対応した周波数特性、遅延、および音圧減衰に基づいて生成し、該模擬反射信号を該第２の信号に混合する、請求項５に記載の音場処理方法。
【請求項７】
前記第２の信号より再生された音が反射面に反射する場合、前記第１の信号から前記模擬反射信号を該反射面に対応した周波数特性、遅延、および音圧減衰に基づいて生成し、該模擬反射信号を該第１の信号に混合する、請求項５に記載の音場処理方法。
【発明の詳細な説明】
【０００１】
【発明の属する技術分野】
本発明は、反射面による反射音から生じる音場の左右非対称性を解消する音場処理装置ならびに音場処理方法に関する。
【０００２】
【従来の技術】
従来より、ステレオ再生を行う音響再生装置においては、音源としてL（左）／R（右）の２個のスピーカが用いられる。また、多チャンネル信号を複数のスピーカにより再生するサラウンド再生が用いられている。最近では、これらの多チャンネル信号によるサラウンド再生を、仮想音像定位（バーチャルサラウンド）技術を用いてＬ／Ｒ２個のスピ−カのみで再生する方法が用いられている。
【０００３】
【発明が解決しようとする課題】
しかしながら、従来の音響再生装置においては、左右対称の音場を理想とし、壁あるいは窓ガラス等の音響的な反射面が存在しないことが、良好な音場（すなわち、音響再生信号に意図された定位感が得られる音場）の条件となっている。図８は、従来の音響再生装置に、音源としてＬ／Ｒの２個のスピーカを使用した構成を示す図である。音響再生装置１０１および聴取者１２４の左側に壁１２５が存在する場合を考える。Ｒスピーカ１２３から再生された音Ｖｒ４は、概略、直接聴取者１２４に到達するのみである。一方、Ｌスピーカ１２２から再生された音は、直接聴取者１２４に到達する音Ｖｌ４だけではなく、壁１２５に反射して聴取者１２４に到達する反射音Ｖｌ５が存在する。したがって、図８において、聴取者１２４は、左右対称な音場を得ることはできない。
【０００４】
また、聴取者が左右対称で良好な音場を得るための別の条件として、ＬスピーカおよびＲスピーカから聴取者までの距離が等しいことがある。図９は、従来の音響再生装置において、聴取者１２４がＬスピーカ１２２側に片寄った位置にいる状態を示す図である。この状態では、聴取者からＬスピーカまでの距離が、聴取者からＲスピーカ１２３までの距離より短くなる。したがって、Ｌスピーカから再生された音Ｖｌ６は、Ｒスピーカから再生された音Ｖｒ６より、タイミングが早くかつ音圧が大きい状態で聴取者に到達する。したがって、図９においても、聴取者１２４は左右対称な音場を得ることはできない。
【０００５】
このような反射面の存在もしくは聴取者の位置の片寄りにより、ステレオ再生においてはステレオ定位が悪化し、バーチャルサラウンドにおいては仮想音像定位が悪化するなどのために、音響再生信号に意図された定位感を聴取者が得られない等の問題がある。
【０００６】
これらの問題を解決するために、実開平１−１５３７９９号公報に、反射面による反射音とレベル、遅延時間および周波数が等しくかつ極性が反転された逆相の音を生成し、反射音を打ち消すことにより、左右対称音場を得る技術が提案されている。しかし、このような構成においては、逆相の音と反射音との到達時間に少しでもずれが生じると、反射音を完全には打ち消すことができない。したがって、打ち消されずに残った、反射音と逆相の音との影響により、聴取者には逆相感のある音場が生じるという問題がある。
【０００７】
本発明は上記従来の課題を解決するためになされたものであり、その目的とするところは、壁等の反射面が存在する場合もしくは聴取者の位置が一方に片寄っている場合においても、聴取者が良好に左右対称な音場を得ることができる音場処理装置および音場処理方法を提供することにある。
【０００８】
【課題を解決するための手段】
本発明による音場処理装置は、入力された第１の信号もしくは第２の信号から模擬反射信号を生成する音場補正手段と、該第１の信号に該模擬反射信号を混合する第１の混合手段と、該第２の信号に該模擬反射信号を混合する第２の混合手段とを備え、該第１の信号もしくは該第２の信号のうちいずれか一方から模擬反射信号を生成し、該模擬反射信号と該模擬反射信号を生成した第１の信号もしくは第２の信号とを混合する。
【０００９】
好ましい実施形態においては、上記音場補正手段は、上記第１の信号もしくは上記第２の信号より再生された音が反射する反射面に基づく周波数特性を有するフィルタ手段と、該反射面に基づく遅延を有する遅延手段と、該反射面に基づいて音圧減衰させる係数乗算手段とを有する。
【００１０】
好ましい実施形態においては、上記第１の信号もしくは上記第２の信号のうち、上記模擬反射信号を生成および混合する信号を選択する信号選択手段をさらに備える。
【００１１】
好ましい実施形態においては、上記信号選択手段は、上記第１の信号を乗算する第１の乗算器と、上記第２の信号を乗算する第２の乗算器と、上記模擬反射信号を乗算し上記第１の混合手段に出力する第３の乗算器と、上記模擬反射信号を乗算し上記第２の混合手段に出力する第４の乗算器と、該第１の乗算器および該第２の乗算器の出力を加算する加算器とを有する。
【００１２】
好ましい実施形態においては、上記第１の信号を乗算し上記第１の混合手段に出力する第５の乗算器、および上記第２の信号を乗算し上記第２の混合手段に出力する第６の乗算器をさらに備える。
【００１３】
本発明の別の局面によれば音場処理方法が提供される。この方法は、第１の信号もしくは第２の信号のうちいずれか一方から模擬反射信号を生成する工程と、該模擬反射信号と該模擬反射信号を生成した第１の信号もしくは第２の信号とを混合する工程とを含む。
【００１４】
好ましい実施形態においては、上記第１の信号より再生された音が反射面に反射する場合、上記第２の信号から上記模擬反射信号を該反射面に対応した周波数特性、遅延、および音圧減衰に基づいて生成し、該模擬反射信号を該第２の信号に混合する。
【００１５】
好ましい実施形態においては、上記第２の信号より再生された音が反射面に反射する場合、上記第１の信号から上記模擬反射信号を該反射面に対応した周波数特性、遅延、および音圧減衰に基づいて生成し、該模擬反射信号を該第１の信号に混合する。
【００１６】
以下、本発明による音場処理装置の作用について説明する。
本発明による音場処理装置は、音場補正手段、第１および第２の混合手段を備えている。左右のスピーカのうち、一方のスピーカの側に反射面が存在すると、その一方のスピーカからの音について比較的大きな一次反射音が発生する。また、他方のスピーカからの音には前記反射面による反射音はきわめて小さく無視することができる。そのため、たとえ、聴取者が左右スピーカの中心軸上に位置していたとしても、左右対称な音場が得られない。そこで、音場補正手段により、反射音が無視し得る方の信号について、反射面による特性と概略等しい特性（遅延、周波数、および音圧減衰）に基づいて生成された模擬反射信号を生成し、混合して出力する。したがって、本発明による音場処理装置によれば、一方のスピーカの側に反射面が存在する場合でも、聴取者は両側から反射音が到来するように感じられ、左右対称な音場を得ることができる。さらに、本発明による音場処理装置は、反射音を逆相の音を用いて打ち消すのではなく、反射音と概略等しい模擬反射音により聴取者の両側から反射音を与えているので、反射音と模擬反射音との到達時間にずれが存在する場合にも、聴取者は逆相感を感じることはない。本発明の音場処理装置を用いれば、回路規模の小さい極めて簡単な構成により、ステレオ再生においてはステレオ定位が良好になり、バーチャルサラウンドにおいては仮想音像定位を良好に行え、よって、音響再生信号に意図された定位感を得ることができる。
【００１７】
好ましい実施形態においては、音場処理装置は信号選択手段を備えているので、模擬反射音を生成し混合する信号を選択することができる。したがって、模擬反射音を生成する音場補正手段を共通化でき、回路規模をさらに簡易にすることができる。
【００１８】
好ましい実施形態においては、信号選択手段は、第１〜第４の乗算器、および加算器を有しているので、第１〜第４の乗算器の係数を切換えることにより、きわめて容易に信号を選択することができる。
【００１９】
好ましい実施形態においては、音場処理装置は、第５および第６の乗算器を有しているので、第１もしくは第２の信号のいずれかを遅延および乗算して出力できる。または、第１もしくは第２の信号のいずれかに模擬反射信号を混合して出力できる。したがって、反射面が存在する場合だけでなく、聴取者がＬ／Ｒスピーカに対して片寄って位置している場合にも、左右対称な音場を得ることができる。
【００２０】
【発明の実施の形態】
以下、本発明の好ましい実施形態について、図１〜図７を参照し具体的に説明するが、本発明はこれらの実施形態には限定されない。
【００２１】
図１は、本発明の好ましい実施形態による音場処理装置を示す概略図である。本発明の音場処理装置１は、第１の入力端子２、第２の入力端子３、音場補正手段４、第１の混合手段５、第２の混合手段６、第１の出力端子７、および第２の出力端子８を備えている。
【００２２】
第１の入力端子２には第１の信号が、第２の入力端子３には第２の信号が入力される。例えば、第１の信号は左スピーカへ出力される左信号、第２の信号は右スピーカへ出力される右信号である。
【００２３】
第１の信号が、第１の入力端子２から音場補正手段４に入力される。もしくは、第２の信号が、第２の入力端子３から音場補正手段４に入力される。音場補正手段４は、第１の信号もしくは第２の信号から模擬反射信号を生成する。模擬反射信号は、一方のスピーカからの音が反射する反射面の特性と、概略等しい特性（周波数、遅延、音圧減衰）に基づいて模擬的に生成された音である。第１の信号から生成された模擬反射信号は、第１の混合手段５に出力される。もしくは第２の信号から生成された模擬反射信号は、第２の混合手段６に出力される。
【００２４】
音場補正手段４は、フィルタ手段９、遅延手段１０、および係数乗算手段１１を有している。フィルタ手段９は、反射面に基づく周波数特性を有しており、入力された信号の所定の周波数帯域を減衰させる。反射面に基づく周波数特性とは、反射音と直接到来する音との周波数特性の変化分であり、反射面の吸音率α等に依存する。フィルタ手段９は、例えば、ＩＩＲ（無限インパルス応答）フィルタ、ＦＩＲ（有限インパルス応答）フィルタ等が採用され得る。好ましくは、回路規模を簡易にできるという理由で、ＩＩＲフィルタが採用され得る。図２は、フィルタ手段９の実施例（ＩＩＲフィルタ）を示す概略図である。フィルタ手段９は、例えば、入力された信号を１サンプリング遅延する遅延器９ａ〜９ｄ、係数乗算器９ｅ〜９ｊ、および加算器９ｋを有している。遅延手段１０は、反射面に基づく遅延を有している。ここで、反射面に基づく遅延とは、反射面による反射音が直接到来する音に対して遅延する時間差である。遅延手段１０は、例えば、１〜６４サンプリングのものが採用され得る。係数乗算手段１１は、反射面に基づいて音圧減衰されるよう、入力された信号に係数を乗算する。ここで、反射面に基づいた音圧減衰とは、反射面による反射音と直接到来する音との音圧の比であり、壁の吸音率α（反射率１−α）、伝搬距離（距離の２乗に反比例）、および壁の向きに依存する。
【００２５】
第１の混合手段５は、第１の信号および模擬反射信号が入力される。第１の混合手段５は、代表的には、加算器が採用され得る。第１の混合手段５は、第１の信号に模擬反射信号を混合し、混合した信号を第１の出力端子７へ出力する。第１の信号に模擬反射信号を混合しない場合には、第１の信号をそのまま第１の出力端子７に出力する。第２の混合手段６についても同様に、入力された第２の信号および模擬反射信号を混合し、混合した信号を第２の出力端子８に出力する。
【００２６】
音場処理装置１は、信号選択手段１２をさらに備えている。信号選択手段１２は、第１または第２の信号のうち、模擬反射信号が混合されて出力される信号を選択する。好ましくは、信号選択手段１２は、第１の信号を１または０倍する第１の乗算器１３、第２の信号を１または０倍する第２の乗算器１４、模擬反射信号を１または０倍し第１の混合手段５に出力する第３の乗算器１５、模擬反射信号を１または０倍し第２の混合手段６に出力する第４の乗算器１６、および第１、第２の乗算器の出力を加算する加算器１７を有している。このような信号選択手段１２によれば、第１〜第４の乗算器の係数を１または０に切換えるのみで、きわめて容易に信号を選択できる。すなわち、第１の信号を選択し模擬反射信号を混合する場合は、第１の乗算器１３および第３の乗算器１５の係数を１とし、第２の乗算器１４および第４の乗算器１６の係数を０とする。こうすることにより、第１の信号が音場補正手段４により処理され模擬反射信号が生成され、第１の混合手段により模擬反射信号が混合され出力されることになる。
【００２７】
同様に、第２の信号を選択し模擬反射信号を混合する場合は、第２および第４の乗算器の係数を１とし、第１および第３の乗算器の係数を０とする。こうして、第２の信号が音場補正手段４により処理され模擬反射信号が生成され、第２混合手段６で模擬反射信号が混合され出力される。
【００２８】
音場処理装置１は、代表的には、ＤＳＰ（Ｄｉｇｉｔａｌ  Ｓｉｇｎａｌ  Ｐｒｏｃｅｓｓｏｒ）を用いて、構成されている。従って、音場処理装置１への入出力信号がアナログ信号である場合には、入力側にＡ／Ｄ変換器、出力側にＤ／Ａ変換器を接続して用いられる。
【００２９】
好ましくは、第１の入力端子２に乗算器１８が、第１の出力端子７に乗算器１９が接続されている。乗算器１８で信号のレベルを低下させ（例えば、１／２にする）、乗算器１９で信号のレベルを増加させることにより、第１の混合手段５で第１の信号と模擬反射信号とを混合する際のオーバーフローを防止することができ、また信号のレベル低下を回復させることができる。同様に、第２の入力端子３に乗算器２０が、第２の出力端子に乗算器２１が接続されている。
【００３０】
次に、このような構成を有する音場処理装置１に、音源としてスピーカを接続した際の動作について説明する。図３は、スピーカを接続した音場処理装置１の動作を説明する概略図である。
【００３１】
音場処理装置１は、第１の出力端子７にケーブルを介してＬ（左）スピーカ２２が、第２の出力端子８にケーブルを介してＲ（右）スピーカ２３が接続されている。音場処理装置１の出力は、Ｒスピーカ２２およびＬスピーカ２３から再生される。ここで、ＬスピーカおよびＲスピーカから同距離に聴取者２４が存在し、聴取者２４の左側に反射面である壁２５が存在する場合について考える。
【００３２】
聴取者２４の左側に壁２５が存在する場合、Ｌスピーカ２２から第１の信号が再生される音は、直接、音Ｖｌ１として聴取者２４に到達すると共に、壁２５により反射されて反射音Ｖｌ２として聴取者２４に到達する。つまり、聴取者２４には、仮想スピーカ２６が存在するように感じられる。図４（ａ）は、音Ｖｌ１および反射音Ｖｌ２を測定したインパルス応答特性である。但し、壁２５とＬスピ−カとの距離ａが０．４ｍ、聴取者から両スピーカまでの距離ｂが１．５ｍ、サンプリング周波数４８ｋＨｚ、Ｖｌ１とＶｌ２との遅延時間は０．５４７ｍｓｅｃである。図４（ｂ）は、図４（ａ）における周波数−音圧特性を示したグラフである。
【００３３】
次に、Ｒスピーカ２３から再生される音について説明する。Ｒスピーカ２３から再生される音は、音場処理装置１を使用しない場合、概略、第２の信号が再生され直接聴取者に到達する音Ｖｒ１のみであるので、音場に左右非対称性が生じると考えられる。そこで、音場処理装置１において、第２の信号（右信号）から模擬反射信号を生成し混合して出力する。模擬反射信号は、Ｒスピーカから模擬反射音Ｖｒ２として再生される。図５（ａ）は、Ｒスピーカから再生される音Ｖｒ１および模擬反射音Ｖｒ２をシミュレーションした結果である。図５（ｂ）は、図５（ａ）における周波数−音圧特性を示すシミュレーション結果である。このように、Ｒスピーカ２３から再生される音についても、直接、音Ｖｒ１として聴取者に到達すると共に、反射面の特性と概略等しい特性（周波数、遅延、音圧減衰）に基づいて生成された模擬反射音Ｖｒ２が聴取者に到達する。したがって、音場処理装置１により、聴取者２４はＲスピーカ２３の右側にも壁２７が存在するように感じられる。つまり、聴取者には、仮想スピーカ２８が存在するように感じられる。
【００３４】
ここで、模擬反射音の生成について詳細に説明する。模擬反射音Ｖｒ２は、図５（ａ）に示すように、遅延手段１０により、反射音Ｖｌ２の遅延時間と概略等しい遅延時間が与えられる。ここで、聴取者からＬ、Ｒスピーカまでの距離をｂ、聴取者から仮想スピーカ２６または２８までの距離をｃとする。すると、反射音Ｖｌ２の音Ｖｌ１に対する遅延時間Ｔは、音速をＶとすると次式になる。
【数１】
0003941351.tif 000002
【００３５】
したがって、左右対称の音場を生成するために例えば、ｂ＝２ｍ、ｃ＝２．３４ｍ、Ｖ＝３４０ｍ／ｓの時、必要な遅延時間は約１ｍｓｅｃとなる。したがって、サンプリング周波数を４８ｋＨｚとすると、４８サンプリング遅延させることになる。また、Ｌスピーカ２２から壁までの距離ａが大きくなれば、反射音Ｖｌ２の遅延時間も大きくなるが、実際に聴取者に到達する反射音は減衰され小さくなるので、設計上は、Ｌスピーカと壁との距離ａが例えば１ｍ以内（遅延時間は例えば３ｍｓｅｃ以内）の場合を考慮すればよい。
【００３６】
模擬反射音Ｖｒ２は図５（ａ）のようにＶｒ１に対する音圧減衰が、反射音Ｖｌ２のＶｌ１に対する音圧減衰と概略等しくなるよう生成される。先述の通り、係数乗算手段１１は、吸音率、伝搬距離、および壁の向きに応じて第２の信号を乗算する。
【００３７】
模擬反射音Ｖｒ２は、フィルタ手段９により反射面に基づく周波数特性と概略等しい周波数特性が与えられている。図５（ｂ）に示すように、音Ｖｒ１および模擬反射音Ｖｒ２の周波数−音圧特性に、図４（ｂ）と同様に、反射面による影響が付加されている。
【００３８】
以上のように、聴取者は、Ｌ、Ｒスピーカからの音Ｖｌ１およびＶｒ１を受け取ると共に、Ｖｌ１、Ｖｒ１からは遅れて反射音Ｖｌ２および模擬反射音Ｖｒ２を受け取ることになる。したがって、音場処理装置１はきわめて簡単な構成により、左側のみに反射面がある場合にも、音場を左右対称にすることができる。
【００３９】
次に、聴取者の右側に反射面が存在する場合について説明する。この場合も同様に、Ｒスピーカから再生される音は、直接、聴取者に到達すると共に、反射面に反射して聴取者に到達する。一方、Ｌスピーカから再生される音は、音場処理装置を使用しない場合には、概略、直接聴取者に到達する音のみである。そこで、信号選択手段１２により左信号を選択し、模擬反射信号を生成、左信号に混合し、Ｌスピーカに出力する。したがって、Ｌスピーカから再生される音は、直接、聴取者に到達すると共に、模擬反射音として聴取者に到達する。
【００４０】
本実施形態においては、音場補正手段を第１の信号と第２の信号とで共通としたが、第１の信号、第２の信号に対してそれぞれ音場補正手段を用いてもよい。この場合には、信号選択手段は省略し、模擬反射信号を混合する信号に対する音場補正手段のみを動作すればよい。
【００４１】
次に、本発明による別の実施形態について説明する。本実施形態による音場処理装置は、聴取者の一方の側に反射面が存在する場合だけでなく、Ｌ、Ｒスピーカから聴取者までの距離が異なる場合にも、左右対称な音場を提供する。図６は、本実施形態による音場処理装置５１を示す図であり、図１の音場処理装置１と同一部分には同一番号を付け説明は省略する。
【００４２】
音場処理装置５１は、第５の乗算器５２および第６の乗算器５３をさらに有している。第５の乗算器５２は、第１の信号を１または０倍して、第１の混合手段５に出力する。第６の乗算器５３は、第２の信号を１または０倍して、第２の混合手段６に出力する。
【００４３】
このような構成の音場処理装置５１に、音源としてスピーカを接続した際の動作について説明する。図７は、スピーカを接続した音場処理装置５１の動作を説明する概略図である。ここで、聴取者２４がＬスピーカ２２側に片寄っている（つまり、Ｌスピーカから聴取者までの距離ｄが、Ｒスピーカから聴取者までの距離ｅより短い）場合について説明する。
【００４４】
音場処理装置５１を使用しない場合には、聴取者に近いＬスピーカ２２からの音Ｖｌ３がＲスピーカからの音Ｖｒ３より、タイミングが早く、音圧が強く聴取者に到達する。そこで、信号選択手段１２は、第１の信号（左信号）を選択する。すなわち、第１の乗算器１３、第３の乗算器１５は係数が１、第２の乗算器１４、第４の乗算器１６は係数が０となる。さらに、第５の乗算器５２は係数が０、第６の乗算器５３は係数が１となる。
【００４５】
選択された第１の信号は、遅延手段１０および係数乗算手段１１により、遅延および音圧減衰されＬスピーカ２２に出力される。なお、フィルタ手段９は動作させず、信号をそのまま通過させる。一方、第２の信号（右信号）は、そのままＲスピーカ２３へと出力される。このように、Ｌスピーカ２２から再生される音Ｖｌ３は、遅延され音圧が減衰されているので、両スピーカから聴取者までの距離が等しい場合と同様に、Ｖｌ３、Ｖｒ３は聴取者２４に到達することができる。したがって、音場処理装置５１を使用することにより、左右対称音場を得ることができる。
【００４６】
逆に、聴取者２４がＲスピーカ２３側に片寄っている場合は、第２の信号（右信号）を遅延、音圧を減衰し出力し、第１の信号（左信号）はそのまま出力することにより、聴取者２４は左右対称な音場を得ることができる。
【００４７】
さらに、音場処理装置５１は、第５の乗算器５２、および第６の乗算器５３の係数を共に１とすることにより、図１に示す音場処理装置１と同じ構成となる。したがって、第５、第６の乗算器の係数を１とすることにより、反射音による左右音場の非対称性を模擬反射音により、解消することができる。
【００４８】
さらに、音場処理装置５１において、反射面が存在する場合、および聴取者が一方のスピーカ側に片寄って位置している場合を同時に補正するには、２つの音場処理装置５１を縦続接続することにより実現できる。
【００４９】
以上のように、本実施形態では、図１に示す音場処理装置１に乗算器を２個追加するという簡単な構成で、反射音および聴取者の位置の片寄りから生じる左右音場の非対称性をきわめて良好に解消することができる。
【００５０】
【発明の効果】
本発明による音場処理装置は、模擬反射音を生成する音場補正手段を備えるので、一方のスピーカの側のみに反射面が存在する場合にも、聴取者は両側から反射音が到来するように感じることができる。したがって、本発明の音場処理装置によれば、一方のスピーカ側に反射面がある場合にも、左右対称な音場を得ることができる。
【図面の簡単な説明】
【図１】本発明の好ましい実施形態による音場処理装置を示す概略図である。
【図２】フィルタ手段の実施例を示す概略図である。
【図３】スピーカを接続した音場処理装置の動作を説明する概略図である。
【図４】（ａ）は、音Ｖｌ１および反射音Ｖｌ２を測定したグラフである。（ｂ）は、（ａ）における周波数−音圧特性を示したグラフである。
【図５】（ａ）は、音Ｖｒ１および模擬反射音Ｖｒ２をシミュレーションした結果である。（ｂ）は、（ａ）における周波数−音圧特性を示すシミュレーション結果である。
【図６】本発明の別の実施形態による音場処理装置を示す概略図である。
【図７】本発明の別の実施形態による音場処理装置にスピーカを接続した際の動作を説明する概略図である。
【図８】従来の音響再生装置において、聴取者の左側に反射面が存在する状態について説明する図である。
【図９】従来の音響再生装置において、聴取者がＬスピーカ側に片寄っている状態を説明する図である。
【符号の説明】
１、５１  音場処理装置
４        音場補正手段
５        第１の混合手段
６        第２の混合手段
９        フィルタ手段
１０      遅延手段
１１      係数乗算手段
１２      信号選択手段
１３      第１の乗算器
１４      第２の乗算器
１５      第３の乗算器
１６      第４の乗算器
１７      加算器
５２      第５の乗算器
５３      第６の乗算器
【図１】
0003941351.tif 000003
【図２】
0003941351.tif 000004
【図３】
0003941351.tif 000005
【図４】
0003941351.tif 000006
【図５】
0003941351.tif 000007
【図６】
0003941351.tif 000008
【図７】
0003941351.tif 000009
【図８】
0003941351.tif 000010
【図９】
0003941351.tif 000011